(57)【特許請求の範囲】
【請求項１】
配線における電気機器への差込み端子を、下方へ脱落不能に収容した不使用状態と、該不使用状態から延伸されて電気機器へ嵌合可能な使用状態とを選択可能に支持する配線支持部材と、該配線支持部材を保持する保持孔を備えた配線収容構造において、
前記保持孔は前記差込み端子が挿通可能であり、前記配線支持部材を、下方へ脱落不能に嵌合するものとし、前記配線支持部材に前記配線が挿通可能な配線挿通孔を備え、さらに前記配線支持部材に前記差込み端子を下方に脱落不能に収容する収容部を備え、
前記配線支持部材が、対向する一対の割部材によって形成され、該割部材同士が前記配線を挿通可能に結合されることを特徴とする配線収容構造。
【請求項２】
前記配線支持部材が、下方が半円状に形成された、対向する同型一対の半割部材によって形成されていることを特徴とする請求項１に記載の配線収容構造。
【請求項３】
前記各半割部材の上部に外側方を向く外向き突片を、前記保持孔の上部に内側方を向く内向き突片を各々設け、前記外向き突片の上面を、前記内向き突片の下面へ当接させることによって、前記配線支持部材を上方へ移動不能としたことを特徴とする請求項２に記載の配線収容構造。
【請求項４】
前記外向き突片を、前記各半割部材の上部に１対の上下方向への切込みを設けることによって形成された、内側方へ弾性変形可能な弾性片から延設し、なおかつ、該弾性片における前記外向き突片よりも上方に、外側方を向く第２外向き突片を設け、前記内向き突片が、前記外向き突片と前記第２外向き突片との間に溝嵌合されることを特徴とする請求項３に記載の配線収容構造。
【発明の詳細な説明】
【技術分野】
【０００１】
本発明は、配線における電気機器への差込み端子を、前記配線収容部に下方へ脱落不能に収容した不使用状態と、該不使用状態から延伸されて、電気機器へ嵌合可能な使用状態とを選択可能に支持する配線支持部材を保持する、家具に設けられた保持孔を備えた配線収容構造に関する。
【背景技術】
【０００２】
従来の配線収容構造には、例えば学校や図書館等に配置されるデスクやテーブル等の家具類において、パソコンの通信機能を利用する形態で使用する際、電源線や情報線をデスクやテーブル上に配置する必要があり、このとき、電源線や情報線を接続する差込み端子をデスクやテーブルに配置する場合には、差込み端子がデスクやテーブルから脱落しやすく、電源線や情報線をデスクやテーブルから脱落しないよう保持手段を設ける必要があった。
【０００３】
このような要求に対して、例えば特許文献１には、モジュラージャックＭｊ等の接続端子（差込み端子）を保持するホルダー体を設ける保持技術が示されており、この保持技術は、デスク等の天板Ｔｂの縁部を上下から挟持するとともにその挟持状態を緊締、弛緩することができるように形成したクランプ体１の前面に、それと一体で上位側に信号線、下位側に情報線用の接続端子を囲む切欠４または穴を有するとともに、下位側に前記端子を嵌合して保持する穴６ａ又は切欠を具備したホルダー体３を設けたものである。
【先行技術文献】
【特許文献】
【０００４】
【特許文献１】特開平１１−２０６４７１号公報
【発明の概要】
【発明が解決しようとする課題】
【０００５】
しかしながら、特許文献１にあっては、差込み端子を先端に有したコードＣａをデスクやテーブルの天板Ｔｂ上部に引き出してデスク等で使用する電気機器に装着配備できるようにするためには、差込み端子がホルダー体３側面の開口部に側面から通され、次に接続端子用の切欠４より天板Ｔｂ上に引き出され、さらにコードＣａはホルダー体３の底面に形成された横向きのスリット６とコード用の穴６ａにグロメット８によって嵌合されるので、ホルダー体を複雑な形状に構成しなければ成らないと共に、差込み端子を先端に有したコードの天板に対する装着作業が手間のかかるものであった。
【０００６】
本発明は、このような問題点に着目してなされたもので、差込み端子を先端に有したコードの天板に対する装着作業を容易に行えると共に、装着後に差込み端子が下方に脱落しないようにした配線支持部材を保持できる配線収容構造を提供することを目的とする。
【課題を解決するための手段】
【０００７】
前記課題を解決するために、本発明の配線収容構造は、
配線における電気機器への差込み端子を、下方へ脱落不能に収容した不使用状態と、該不使用状態から延伸されて電気機器へ嵌合可能な使用状態とを選択可能に支持する配線支持部材と、該配線支持部材を保持する保持孔を備えた配線収容構造において、
前記保持孔は前記差込み端子が挿通可能であり、前記配線支持部材を、下方へ脱落不能に嵌合するものとし、前記配線支持部材に前記配線が挿通可能な配線挿通孔を備え、さらに前記配線支持部材に前記差込み端子を下方に脱落不能に収容する収容部を備え、
前記配線支持部材が、対向する一対の割部材によって形成され、該割部材同士が前記配線を挿通可能に結合されることを特徴としている。
この特徴によれば、配線支持部材を保持孔によって保持するが、このとき差込み端子及び配線が保持孔を通された後、差込み端子及び配線、または配線だけを配線支持部材に挿通させ、差込み端子を下方に脱落不能に収容することで、複雑な形状のコード体等を用いることなく差込み端子を先端に有した配線の装着作業を容易に行える。さらに、差込み端子の不使用時には配線支持部材内に設けられた収容部に収めることができるため、邪魔な差込み端子が放置されるのを防ぐことができる。
【０００９】
本発明の配線収容構造は、
前記配線支持部材が、下方が半円状に形成された、対向する同型一対の半割部材によって形成されていることを特徴としている。
この特徴によれば、半割部材を対向する同型一対の半割部材で形成することで、配線支持部材を構成できるため、異なる半割部材を必要とせず、簡単な構造で配線収容構造を構成することができる。また下方が半円状に形成された対向する一対の半割部材の結合時には、全周に切欠の無い円形の状の配線挿通孔を形成することができ、配線が切欠に引っかかるのを防ぎ、配線の出し入れを円滑にできる。
【００１０】
本発明の配線収容構造は、
前記各半割部材の上部に外側方を向く外向き突片を、前記保持孔の上部に内側方を向く内向き突片を各々設け、前記外向き突片の上面を、前記内向き突片の下面へ当接させることによって、前記配線支持部材を上方へ移動不能としたことを特徴としている。
この特徴によれば、配線支持部材を保持孔に保持する際、配線支持部材を構成する各半割部材の上部に設けられた外向き突片の上面が、保持孔の上方に設けられた内向き突片の下面に当接し、配線支持部材の上方への移動を抑制し、上方へ抜け難くすることができる。
【００１１】
本発明の配線収容構造は、
前記外向き突片を、前記各半割部材の上部に１対の上下方向への切込みを設けることによって形成された、内側方へ弾性変形可能な弾性片から延設し、なおかつ、該弾性片における前記外向き突片よりも上方に、外側方を向く第２外向き突片を設け、前記内向き突片が、前記外向き突片と前記第２外向き突片との間に溝嵌合されることを特徴としている。
この特徴によれば、各半割部材の上部に、上下方向への切込みによって設けられた内側方へ弾性変形可能な弾性片から延設する外向き突片と、その上方に外側方を向く第２外向き突片を設け、これら外向き突片と、第２外向き突片の間に、保持孔の上方に設けられた内向き突片が溝嵌合することによって、配線支持部材の上方、下方両方への移動を抑止することができる。
【図面の簡単な説明】
【００１２】
【図１】実施例１におけるデスクに適用した配線収容構造を示す斜視図である。
【図２】配線支持部材を保持した配線収容構造を示す部分斜視図である。
【図３】配線支持部材を保持孔に保持する前の配線収容構造を示す展開斜視図である。
【図４】差し込み端子を収容した配線支持部材を示す斜視図である。
【図５】半割部材を示す側面図である。
【図６】配線支持部材を示す下面図である。
【図７】配線支持部材を保持する配線収容構造を示す側断面図である。
【図８】実施例２における配線支持部材を示す斜視図である。
【発明を実施するための形態】
【００１３】
本発明に係る配線支持部材を保持した配線収容構造を実施するための形態を実施例に基づいて以下に説明する。
【実施例１】
【００１４】
実施例１に係る配線収容構造につき、図１から図７を参照して説明する。図１及び図２には、デスク１に対して、電気機器への差込み端子５を下方へ脱落不能に収容した本発明における配線収容構造２が適用されたものが図示されている。図２で配線収容構造２の構造を説明すると、デスク１の天板に設けられた開口部１１に対して嵌合されるコンセントユニット１０であって、配線６の先端部の差込み端子５が挿通可能な大きさで保持孔３が形成されており、この保持孔３に配線支持部材４が下方へ脱落しないように保持されており、また保持孔３の隣にはコンセント４０を設けている。
【００１５】
次に配線支持部材４について図３及び図４を用いて説明すると、この配線支持部材４は、上部に収容部７、下部に配線挿通孔８を有しており、差込み端子５は不使用時には配線支持部材４の上部に設けられた収容部７に収めることができるため、デスク１上に邪魔な配線６が放置されるのを防ぐことができる。このとき、配線６に弱い下向きの引っ張り力を作用させて差込み端子５を電気機器から外したときに収容部７に引き込むようにさせることができる。
【００１６】
また、配線支持部材４は配線６における電気機器への差込み端子５を、下方へ脱落不能に収容した不使用状態と、不使用状態から延伸されて差込み端子５を電気機器へ嵌合可能な使用状態とを選択可能に支持するものであり、配線支持部材４は対向する同型一対の半割部材１３ａ、１３ｂによって形成されている。
【００１７】
この同型一対の各半割部材１３ａ、１３ｂは、上方がコの字型、下方が半円型になるように形成されている。この上方のコの字型部分は、対となる半割部材１３ａ、１３ｂ同士を結合した際に外形が四角形となり内方は差込み端子５の収容部７として構成され、後述する略同型の保持孔３に支持されることで、保持孔３に対して水平方向へ回動不能とすることができ、差込み端子５が配線支持部材４の回動に連動して回転することで配線６のねじれを防ぐことができる。また、この配線支持部材４上方の形状は四角形に限られるものではなく、保持孔に対して回動不能に構成できれば、多角形や楕円状であってもよい。
【００１８】
また、図５及び図６（ａ）にあるように、各半割部材１３ａ、１３ｂの結合面にはそれぞれ一側に凸部２０ｂ、他側に凹部２０ａが形成されており、各半割部材１３ａ、１３ｂの結合時には一方の半割部材１３ａの凸部２０ｂが、他方の半割部材１３ｂの凹部２０ａに嵌合され、同じく一方の半割部材１３ａの凹部２０ａが、他方の半割部材１３ｂの凸部２０ｂに嵌合される。これにより、各半割部材１３ａ、１３ｂ同士の上下左右への移動を抑止することができる。
【００１９】
さらに、同型一対の各半割部材１３ａ、１３ｂの下方の各半円部９は、対となる半割部材１３ａ、１３ｂ同士を結合した際に完全な円形となるとともに、配線６が挿通可能なやや大きめの配線挿通孔８としてあるので、全周において切欠部分や突起部分が存在せず、配線６の出し入れが円滑にすることができる。
【００２０】
また、同型一対の半割部材１３ａ、１３ｂは上方が差込み端子５の収容部７として構成され、下方と比べて内方に形成される空間部が大きくなるように形成されていることで、差込み端子５の不使用時においては、下方部分によって差込み端子５下部の横揺移動を抑制するとともに、差込み端子５使用時においては、上方部分の空間部が広いために差込み端子５を取り出しやすくなっている。
【００２１】
図４及び図７に示したように、各半割部材１３ａ、１３ｂの上部には１対の上下方向への切込み１４により内側方へ弾性変形可能な弾性片１５ａ，１５ｂが各々形成されており、この各弾性片１５ａ，１５ｂには外側方を向き、かつ下方から上方に向けて外側に広がるように傾斜が形成された外向き突片１６が各々設けられており、さらにこの外向き突片１６の上方に、外側方を向く第２外向き突片１７が各々設けられている。そしてこの弾性片１５ａ，１５ｂに対応する形で、保持孔３の上部には内側方を向く内向き突片１８が設けられており、これらは配線支持部材４を上方から下方に挿入した時に、配線支持部材４が保持孔３に移動不能に保持させるために用いられる。
【００２２】
先ず配線収容構造２における差込み端子５を先端に有した配線６の装着手順を図３を用いて説明する。デスク１の裏面より、差込み端子５を先端に有した配線６の先頭部分を保持孔３を通してデスク１の表面から引き出し、配線６の少なくとも一部分が保持孔３から出された状態で、配線支持部材４を構成する各半割部材１３ａ、１３ｂにより配線部を包むようにして各半割部材１３ａ、１３ｂを結合する。このとき下方に形成された各半円部９の結合によって、配線６が挿通可能な配線挿通孔８が形成される（図６（ｂ）参照）。この配線挿通孔８は差込み端子５が挿通不能な大きさに形成することで差込み端子５を下方に脱落不能に支持できる。
【００２３】
次に保持孔３による配線支持部材４の保持手段について詳しく説明すると、保持孔３に対し、配線支持部材４を上方より挿入する際、保持孔３の上方に設けられた内側方を向く各内向き突片１８に対し、各弾性片１５ａ，１５ｂに設けられた各外向き突片１６が押圧される。配線支持部材４の押圧により、各内向き突片１８に当接する各外向き突片１６に対し、内側方への押圧力が生じる。
【００２４】
そして、この押圧力により、各弾性片１５ａ，１５ｂが内側方へ弾性変形し、これにより各外向き突片１６の上端部が各内向き突片１８の下端部を乗り越え、各外向き突片１６に対する内側方への押圧力が解除され、配線支持部材４は各外向き突片１６の上端部が各内向き突片１８の下端部に阻まれる形で、上方への移動を制限されることになる。さらに、各外向き突片１６に乗り越えられた各内向き突片１８の上面に、各外向き突片１６の上方に設けられた各第２外向き突片１７の下面が当接することによって、配線支持部材４の上下方への移動が制限されることになる（図７参照）。
【００２５】
また、本実施例においては、配線支持部材４を半割部材１３ａ、１３ｂを結合させる形態で示しているが、この半割部材１３ａ、１３ｂの側面の一端同士を、半割部材１３ａ、１３ｂ同士が開閉自在となるように接合したものであってもよく、この接合面を含めて半割部材１３ａ、１３ｂ同士が一体として成型された部材を用いて構成されるものであってもよい。
【実施例２】
【００２６】
次に、実施例２に係る配線支持部材４を収容した配線収容構造２につき、図８を参照して説明する。尚、前記実施例と同一構成で重複する構成を省略する。
【００２７】
配線支持部材４が単一部材であって、配線支持部材４の上方に収容部７が、下方に開閉自在な一部割部材３２が設けられ、この一部割部材３２が開かれた状態において、差込み端子５が挿通可能な差込み端子挿通孔３０が成されるように形成されている。
【００２８】
この差込み端子挿通孔３０は、一部割部材３２が開いた状態では、差込み端子５を挿通可能であり、一部割部材３２が閉じられた状態では差込み端子５が挿通不能な配線６が挿通可能な大きさの配線挿通孔８となる。そのため、デスク１の裏面より、保持孔３を通して配線６の差込み端子５がデスク１の表面に引き出された状態で、配線６の差込み端子５を配線支持部材４の下方に設けられた一部割部材３２を開いた状態にして、差込み端子挿通孔３０を通し、次に一部割部材３２を閉じることで、配線支持部材４が保持孔３に支持され、配線６の差込み端子５を下方に脱落不能に支持することができるようになっている。
【００２９】
このように本実施例２においては、配線支持部材４が２つの半割部材を用いて結合する必要がなく配線６の配線支持部材４への装着が容易であり、また、配線支持部材４を保持孔３に挿入することで一部割部材３２が閉じられるように構成することで、配線支持部材４の保持孔３への取付と同時に差込み端子５の脱落が防止できる。
【００３０】
以上本願発明について実施例１及び２により説明したが、実施例１及び２で説明した範囲に限定されるものではなく、例えば配線支持部材４は、２つの半割部材あるいは開閉自在な一部割部材３２によって、配線６は挿通可能であるが差込み端子５は脱落不能にする構成としているが、必ずしもこのような配線支持部材４を用いる必要はなく、配線支持部材４を上下方向に切り欠く、切欠が設けられた略Ｃ型状の単一部材によって形成されていてもよい。
【００３１】
この場合、デスク１の裏面より、保持孔３を通して配線６の差込み端子５がデスク１の表面に引き出された状態で、差込み端子５より下方に延伸されている配線６を配線支持部材４に設けられた切欠を通して配線支持部材４内に遊嵌した上で、配線支持部材４を保持孔３に保持させるようにしてもよい。
【００３２】
本実施例１において、製造コストの低減を図るために、半割部材１３ａ、１３ｂを同形のもので構成しているが、必ずしも同形である必要はなく、また凹凸嵌合する結合部も半割部材１３ａ、１３ｂの上下に設けるようにしてもよい。
【００３３】
また配線支持部材４を外力により開き、ばね力により閉鎖する開閉可能な開口部を備えたばねクリップとし、ばねクリップの開口時に配線６を通し、デスク１の表面に引き出された配線６を挿通させ、開口部の外力による操作を解除して開口部を閉じた後、該ばねクリップを保持孔３に保持させるようにしてもよい。
【００３４】
更に実施例１において、配線挿通孔８の大きさを差込み端子５が挿通不能な大きさに形成することで差込み端子５を下方に脱落不能に支持させているが、配線支持部材４の内部に差込み端子５の下方の移動を阻止するストッパ部を設けるようにしてもよい。
【００３５】
更にまた実施例１において、弾性片１５ａ，１５ｂに外向き突片１６と、その上方に外側方を向く第２外向き突片１７を各々設けて配線支持部材４の上下方への移動を制限したものを示したが、外向き突片１６だけで上方への移動を拘束するようにしたものであってもよい。
【００３６】
また、配線支持部材４によって支持する配線６は、通信用ケーブルあるいは電源用ケーブルであってもよく、各種の差込み端子５を有した配線６に適用可能であることは言うまでもない。
【００３７】
また、例えば差込み端子５より下方の配線６にストッパなどの大径部材を設け、差込み端子５を配線支持部材４内に完全に収容させずに一部突出させておくことで、毎回差込み端子５を配線支持部材４の内から出し入れする必要がなくなり、大幅に手間を省略することができるような使用方法も可能である。
【００３８】
また、本実施例においては配線支持部材４と保持孔３を有する配線収容構造２がユニット化されて、デスク１に埋設する形で示されているが、デスク１に直接保持孔３を設け、配線支持部材４を保持するように構成されていてもよい。
【００３９】
また、本実施例ではデスク１の天板に配線収容構造が適用された例で説明したが、家具における他の構造部材（支柱などの上下広幅の部材）や、家具でない構造体（壁など）に設けられてもよい。
【符号の説明】
【００４０】
１                デスク
２                配線収容構造
３                保持孔
４                配線支持部材
５                差込み端子
６                配線
７                収容部
８                配線挿通孔
９                半円部
１０              コンセントユニット
１１              開口部
１３ａ、１３ｂ    半割部材
１４              切込み
１５ａ，１５ｂ    弾性片
１６              外向き突片
１７              第２外向き突片
１８              内向き突片
２０ａ            凹部
２０ｂ            凸部
３０              差込み端子挿通孔
３２              一部割部材
４０              コンセント
【図１】
0005795725.tif 000002
【図２】
0005795725.tif 000003
【図３】
0005795725.tif 000004
【図４】
0005795725.tif 000005
【図５】
0005795725.tif 000006
【図６】
0005795725.tif 000007
【図７】
0005795725.tif 000008
【図８】
0005795725.tif 000009